(57)【特許請求の範囲】
【請求項１】
相互に空隙をあけて隣接する２つの躯体のうち、一方の躯体の鉛直な対向壁面に、可撓性および弾発性を有するシート状のカバー体の幅方向一端部が水密に固定されるとともに、前記２つの躯体のうち、他方の躯体の上面に、前記カバー体の幅方向他端部が水密に固定され、
前記カバー体の幅方向他端部に連なる一側部は、外方に凸に湾曲させた状態で折返され、
前記カバー体の幅方向両端部間の中間部は、基端部が前記一方の躯体に固定された支持部材によって弾発的に支持されることを特徴とする伸縮継手装置。
【発明の詳細な説明】
【０００１】
【発明の属する技術分野】
本発明は、相互に隣接する建物間の空隙を塞ぎ、地震などによる水平方向および上下方向の急激でかつ大きな変位を許容することができる伸縮継手装置に関する。
【０００２】
【従来の技術】
典型的な従来の技術は、たとえば特開平６−３２２８４１号公報に開示されている。この従来の技術では、相互に空隙をあけて隣接する２つの建物に幅方向両端部が固定される伸縮継手装置において、ゴム製のカバー体を建物用気密材として用いることが示されている。この建物用気密材は、二次元的にほぼ均等に交互に凹凸を成す波形に成形され、各建物の躯体が相対的に上下方向、近接および離反方向、ならびに水平面上で前記近接および離反方向に垂直な前後方向の各方向に追従性を得ることができるように構成されている。
【０００３】
【発明が解決しようとする課題】
上記の従来の技術では、各躯体間の空隙の幅が大きくなるにつれて前記建物用気密材の幅および重量も大きくなり、幅方向中間部が自重によって垂れ下がってしまうという問題を生じる。この問題を解決するためには、建物用気密材の厚みを大きくして剛性を高くする必要があるが、このように厚みを大きくして剛性を高くすると、各躯体が相対的に変位を生じたときに追従性が低下し、破損しやすくなってしまうという問題を生じるとともに、幅方向両端部を大きな強度で各躯体に固定しなければならず、取付ボルトおよび取付金具などの取付構造部の構成が大形化および大強度化してしまうという問題が生じる。
【０００４】
本発明の目的は、各躯体間の相対的な変位に対する追従性を低下することなしに、簡単な構成で幅方向に広い空隙を塞ぐことができる伸縮継手装置を提供することである。
【０００５】
【課題を解決するための手段】
本発明は、相互に空隙をあけて隣接する２つの躯体のうち、一方の躯体の鉛直な対向壁面に、可撓性および弾発性を有するシート状のカバー体の幅方向一端部が水密に固定されるとともに、前記２つの躯体のうち、他方の躯体の上面に、前記カバー体の幅方向他端部が水密に固定され、
前記カバー体の幅方向他端部に連なる一側部は、外方に凸に湾曲させた状態で折返され、
前記カバー体の幅方向両端部間の中間部は、基端部が前記一方の躯体に固定された支持部材によって弾発的に支持されることを特徴とする伸縮継手装置である。
【０００６】
本発明に従えば、各躯体に固定された幅方向他端部に連なる一側部を外方に凸に弯曲させた状態で折返して、シート状、すなわち厚みがほぼ一様で偏平なカバー体を各躯体に水密に固定し、このカバー体の幅方向両端部間の中間部を少なくとも一方の躯体に弾発的に支持するので、前記外方に凸の一側部によって下方への曲げ荷重に対して適度の剛性が得られ、しかもカバー体は可撓性および弾発性を有する材料から成るシート状であるので、各躯体の近接および離反する方向、この近接および離反する方向に水平面上で垂直な前後方向、ならびに上下方向に柔軟に変形して大きな応力を生じない。これによってカバー体の厚みを大きくする必要がなく、簡単な構成で各躯体の相対的な変位が生じたときに、前記外方に凸に弯曲させた折返し部によって垂下がることなしに前記各躯体の相対的な変位に伴うカバー体の幅方向両端部間の相対的変位を許容することができる。このようにして急激でかつ大きな各躯体間の任意の方向への相対的変位に対して高い追従性を維持し、空隙を確実に塞ぎ、風雨の空隙内への侵入を防ぐことができる。
【０００７】
【発明の実施の形態】
図１は、本発明の実施の一形態の伸縮継手装置１を示す鉛直断面図である。本実施の形態の伸縮継手装置１は、水平方向に空隙２をあけて隣接して設けられる２つの建物３，４間にわたって、前記空隙２を上方から塞ぐように設けられる。この伸縮継手装置１は、可撓性および弾発性を有する材料であるネオプレンゴムから成るシート状のカバー体５、カバー体５の幅方向一端部６を一方の建物３の躯体である外壁構造体７の鉛直な対向壁面８に水密に固定する第１固定手段９、カバー体５の幅方向他端部１０を他方の建物４の屋根構造体１１の笠木１２を覆う笠木カバー１３の上面１４に水密に固定する第２固定手段１５、およびカバー体５の幅方向両端部６，１０間の中間部１６を下方から弾発的に支持する支持部材１７とを含む。
【０００８】
前記カバー体５は、平坦状に展開した状態における幅が本実施の形態では約６８０ｍｍであり、図１の紙面に垂直な長手方向の長さが１５ｍである。このような定尺のカバー体５は、工場において未加硫状態で幅方向両端部を加熱してほぼ直角に曲げ加工した後、長手方向一端部を厚み方向に約３０〜４５°に斜め切りした後、バフ掛けし、溶剤によって払拭して糊出しし、乾燥した後、接着剤を塗布して対向する長手方向各端部を突き合わせた状態に配置し、この状態でロールによって圧着する。
【０００９】
次に、厚みがたとえば１ｍｍ幅が１００ｍｍ、カバー体５と同様な材料、すなわち本実施の形態ではネオプレンゴムから成る未加硫の接続用補強テープを厚み方向両側からカバー体５の幅方向全長にわたって貼付け、同様にロールを用いて圧着する。このようにして長手方向に突き合わせられた接続部分を挟んで厚み方向両側に接続用補強テープが接着された領域を金型によって厚み方向両側から挟持し、１４０℃に加熱した状態を約３０〜４０分維持して加硫し、現場に応じた所要長さにわたって連続したカバー体５が形成される。
【００１０】
本実施の他の形態では、前記カバー体５の材料として、前記ネオプレンゴムに代えて、クロロプレンゴム（略称ＣＲ）またはエチレンプロピレンゴム（略称ＥＰＤＭ）を用いることができる。このようなカバー体５の長手方向の接続作業は、現場において行われ、これによってむやみに長いカバー体５を運搬して現場に搬入する必要がなく、資材搬入作業の手間が低減される。
【００１１】
前記第１固定手段９は、一方の建物３の対向壁面８にボルト２１およびナット２２によって固定される縁材２３と、縁材２３にビス２４によってカバー体５の幅方向一端部６を挟んだ状態で固定される押え金具２５と、縁材２３および押え金具２５を上方から覆い、前記対向壁面８上にタッピンねじ２６によって固定される化粧カバー２７とを有する。前記縁材２３、押え金具２５および化粧カバー２７は、図１の紙面に垂直な長手方向に延びる長尺材である。
【００１２】
前記縁材２３は、前記笠木カバー１３の上面１４よりも上方に配置され、長手方向にたとえば６００ｍｍ毎に間隔をあけて上下に延びる長孔２８が形成される。各長孔２８には前記ボルト２１が挿通し、この状態で縁材２３を上下に位置決めしてナット２２を締付け、カバー体５の幅方向一端部６の取付け高さを調整することができる。
【００１３】
この縁材２３の前記ビス２４が螺着される上端部と対向壁面８との間には、縁材２３の長手方向全長にわたって上方に開放した凹溝２９が形成され、この凹溝２９にはバックアップ材３０を嵌め込んで、その上方にシール材３１が打設され、縁材２３と対向壁面８との間を水密に塞いでいる。
【００１４】
このような縁材２３の前記長孔２８が形成される基部３２と対向壁面８との間には、補助止水シート３３の幅方向一端部が挟持される。この補助止水シート３３は、厚さ１．０ｍｍのエチレンプロピレンゴムまたはブチルゴムなどの可撓性および耐候性を有する材料から成り、取付状態においては、図１に示されるように、上方に開放したＵ字状に下方に垂下して設けられ、幅方向他端部は前記第２固定手段１５の縁材３４によって笠木カバー１３の上面１４上に挟持されている。
【００１５】
押え金具２５は、Ｌ字状断面を成し、アルミニウム合金の押出し形材から成る。この押え金具２５が前述したようにビス２４によって縁材２３に固定された状態では、この縁材２３と押え金具２５との間に介在されるカバー体５の幅方向一端部６を大きな強度で挟持するとともに、この幅方向一端部６にほぼ直角に屈曲して連なる付け根部分３５を支持部材１７上で押え付け、カバー体５の垂下がりを防止して水密に固定している。
【００１６】
支持部材１７の基端部は、カバー体５の前記中間部１６から付け根部分３５を経て縁材２３の基部上で下方に屈曲し、縁材２３上に座板３６によって押え付けられた状態で固定されている。この支持部材１７は、長手方向に垂直な断面形状が大略的にＬ字状であり、その厚みが１．６ｍｍ程度の鋼鉄製である。先端部３７は屋根構造体１１の笠木１２の直上近傍まで張り出し、カバー体５の中間部１６を下方から弾発的に支持している。このような支持部材２７は、図１の紙面に垂直な方向の幅が、本実施の形態では４７ｍｍに選ばれ、前記座板３６およびナット２２によって固定される取付部３８と、前記先端部３７とを含む。カバー体５の前記取付部３８と中間部１６を支持する支持部３９とは、約８６°程度の角度を成して屈曲されている。
【００１７】
このような支持部材１７によってカバー体５の中間部１６が下方から支持されるので、前記中間部１６のうち付け根部分３５から湾曲開始部分４０にわたる平坦状の領域は、対向壁面８から離反するにつれて下方に排水勾配ｉを成して傾斜している。この排水勾配ｉは、たとえば５％に選ばれる。
【００１８】
前記化粧カバー２７は、タッピンねじ２６によって対向壁面８０に固定される取付部分４１と、取付部分４１の上端部に連なり、上方になるにつれて対向壁面８から離反する方向に傾斜する上屈曲部分４２と、取付部分４１の下端部から壁面に対して離反する方向に屈曲して連なり、壁面８から離反するにつれて下方に傾斜する排水勾配を有する水切部分４３と、水切部分４３の先端部から下方に屈曲して連なる側壁部分４４と、側壁部分４４の下端部から対向壁面８に近接する方向にほぼ直角に屈曲して連なる下屈曲部分４５とを有する。
【００１９】
下屈曲部分４５と押え金具２５との間には、バックアップ材４６が嵌め込まれ、下屈曲部分４５とカバー体５の付け根部分３５との間にはシール材４７が打設される。このようなシール材４７によって化粧カバー２７とカバー体５との間の水密性が達成される。前記上屈曲部分４２と対向壁面８との間には、シール材４８が打設される。このシール材４８によって、化粧カバー２７と対向壁面８との間の水密性が達成される。取付部分４１から突出するタッピンねじ２６の頭部は、シール材４９によって覆われ、このシール材４９によって取付部分４１とタッピンねじ２６との間の隙間が塞がれ、水密性が達成される。
【００２０】
このようにして第１固定手段９は、カバー体５の幅方向一端部６を一方の建物３の外壁構造体７の対向壁面８に水密に固定する。
【００２１】
前記カバー体５の幅方向両端部６，１０のうち少なくとも一方の端部である幅方向他端部１０に連なる一側部５０は、外方に凸に湾曲させた状態で折返され、湾曲部５１が形成される。この湾曲部５１は、前記湾曲開始部分４０から大略的に半円筒状を成す湾曲終了部分５２にわたって半径Ｒで湾曲して形成され、この湾曲終了部分５２は付け根部分５３を介してほぼ直角に屈曲された幅方向他端部１０に連なる。この付け根部分５３および幅方向他端部１０は、前記第２固定手段１５によって他方の建物４の屋根構造体１０の上方に立上がる笠木１２に固定される。
【００２２】
第２固定手段１５は、タッピンねじ６１によって笠木カバー１３および笠木１２に固定される前述した縁材３４と、この縁材３４にビス６２によって取付けられる押え金具６３とを有する。カバー体５の幅方向一端部１０およびその付け根部分５３は縁材３４および押え金具６３によって挟持され、幅方向他端部１０の先端部分６４は図１の紙面に垂直な長手方向全長にわたって笠木カバー１３の上面１４に弾発的に当接している。これによってカバー体５の幅方向他端部１０と笠木カバー１３との間の水密性が向上される。
【００２３】
また前記笠木カバー１３の上面１４と押え金具６３との間および前記笠木カバー１３の上面１４とカバー体５の湾曲終了部分６２付近との間には凹溝６５が形成され、この凹溝６５にはバックアップ材６６が嵌め込まれ、シール材６７が打設される。このシール材６７によってカバー体５と笠木カバー１３との間の水密性が達成される。笠木カバー１３の下端部とその下方に配置される水切りカバー６８の上端部とはビス６９によって笠木１２に固定され、このビス６９の頭部が露出する凹溝７０にはバックアップ材７１が嵌まり込み、シール材７２が打設されて水切りカバー６８および笠木カバー１３間の水密性が達成されている。前記笠木１２、笠木カバー１３、縁材３４、押え金具６３および水切りカバー６８は、図１の紙面に垂直な長手方向に延びる長尺材である。このようにして第２固定手段１５は、カバー体５の幅方向他端部１０を他方の建物４の屋根構造体１１の笠木１２に水密に固定する。
【００２４】
上記のような構成を有する伸縮継手装置１は、図１の紙面に垂直な長手方向に上方に凸に湾曲して各建物３，４間にわたって設けられ、各建物３，４が地震または地盤の不等沈下などによって相互に近接／離反する方向、上下方向、および図１の紙面に垂直な前後方向に相対的な変位を生じても、これらのあらゆる方向の変位を許容して、空隙２を塞ぎ、外部から空隙２内へ風雨が浸入することを確実に防止することができる。各躯体３，４の相互に近接／離反する方向、すなわち図１の左右方向の空隙２を形成する間隔Ｌは、約３０ｃｍ程度である。このような大きな間隔Ｌを、図１の紙面に垂直な長手方向に上方に凸に湾曲して設けられるカバー体５によって塞ぐことができ、上記の各方向への変位に対して高い追従性を達成し、簡単な構成で、幅Ｌが約３０ｃｍ程度の広い空隙２を塞いだ状態に維持することができる。
【００２５】
図２は、図１に示される伸縮継手装置１の一端部付近の外観を示す斜視図であり、図３は図２の矢視Ａから見た伸縮継手装置１の一端部付近の平面図であり、図４は図２の矢視Ｂから見た伸縮継手装置１の一端部付近の正面図であり、図５は図２の矢視Ｃから見た伸縮継手装置１の一端部付近の側面図である。前述したように伸縮継手装置１は、図４に示す正面側から見て一端部から他端部にわたって上方に凸に湾曲して設けられ、その曲率半径Ｒ１は、たとえば８０〜１２０ｍ程度である。カバー体５の長手方向両端部には、カバー体５と同一材料から成る小口蓋体７５が熱融着または接着剤によってカバー体５の長手方向両端部の小口に固着され、カバー体５の長手方向両端部の開口を塞いでいる。このような小口蓋体７５が設けられる長手方向両端部の下方の領域は、上下に延びる一対の延在カバー７６ａ，７６ｂ間にカバープレート７７が挟持された状態で保持される竪型伸縮継手装置７８によって塞がれている。
【００２８】
【発明の効果】
本発明によれば、可撓性および弾発的を有するシート状のカバー体の幅方向他端部に連なる一側部を外方に凸に湾曲させた状態で各躯体に設けられ、このカバー体の幅方向両端部間の中間部を弾発的に支持するように構成されるので、前記従来の技術に関連して述べたように、カバー体の厚みをむやみに大きくすることなしに垂れ下がりを防止し、かつ各躯体の相互に近接／離反する方向、上下方向および水平面上で近接／離反する方向に対して垂直な前後方向に相対的な変位を許容し、簡単な構成で各躯体間の空隙を確実に塞いだ状態に維持することができる。
【図面の簡単な説明】
【図１】  本発明の実施の一形態の伸縮継手装置１を示す鉛直断面図である。
【図２】  図１に示される伸縮継手装置１の一端部付近の外観を示す斜視図である。
【図３】  図２の矢視Ａから見た伸縮継手装置１の一端部付近の平面図である。
【図４】  図２の矢視Ｂから見た伸縮継手装置１の一端部付近の正面図である。
【図５】  図２の矢視Ｃから見た伸縮継手装置１の一端部付近の側面図である。
【符号の説明】
１  伸縮継手装置
２  空隙
３，４  建物
５  カバー体
６  幅方向一端部
７  外壁構造体
８  対向壁面
９  第１固定手段
１０  幅方向他端部
１１  屋根構造体
１２  笠木
１３  笠木カバー
１５  第２固定手段
１６  中間部
１７  支持部材
２３，３４  縁材
２５，６３  押え金具
３３  補助止水シート
５１  湾曲部
【図１】
0004132425.tif 000002
【図２】
0004132425.tif 000003
【図３】
0004132425.tif 000004
【図４】
0004132425.tif 000005
【図５】
0004132425.tif 000006